(57)【要約】【課題】ディスプレイ装置、および、表示システムを提供する。【解決手段】ディスプレイ装置は、RFIDタグユニット、ディスプレイユニット、処理ユニット、および、電源供給ユニット、からなる。RFIDタグユニットは、RFIDシステムの無線通信規格に従って、無線信号を受信し、識別情報を出力する。処理ユニットはRFIDタグユニット、および、ディスプレイユニットと電気的に接続し、識別情報を受信すると共に、ディスプレイユニットに出力して表示する。電源供給ユニットは、処理ユニット、および、ディスプレイユニット操作時に必要な電源を供給する。ディスプレイ装置は、電源供給ユニットにより情報更新時に必要な電源を提供し、これにより、比較的長い通信距離で情報更新でき、且つ、節電である。また、ディスプレイ装置と読み取り/書き込み装置により構成される表示システムも開示する。【選択図】図１
2010181851.tif 000002
【特許請求の範囲】
【請求項１】
ディスプレイ装置であって、
RFIDシステムの無線通信規格に従って、無線信号を受信し、識別情報を出力するRFIDタグユニットと、
前記識別情報を表示するディスプレイユニットと、
前記RFIDタグユニットと前記ディスプレイユニットと電気的に接続し、前記識別情報を受信すると共に、前記ディスプレイユニットに出力して表示する処理ユニットと、
前記処理ユニット、および、前記ディスプレイユニット操作時に必要な電源を供給する電源供給ユニットと、
を備えることを特徴とするディスプレイ装置。
【請求項２】
更に、前記処理ユニットと電気的に接続し、前記識別情報を保存するストレージユニットを含むことを特徴とする請求項１に記載のディスプレイ装置。
【請求項３】
前記処理ユニットは前記ストレージユニットから前記識別情報を読み取ると共に、前記無線信号に処理し、前記無線信号は前記RFIDタグユニットから送信されることを特徴とする請求項２に記載のディスプレイ装置。
【請求項４】
前記ストレージユニットはメモリかハードディスクであることを特徴とする請求項２または３に記載のディスプレイ装置。
【請求項５】
前記RFIDシステムの通信周波数は135KHz以下、13.56MHz、860M〜960MHz、2.45GHz、又は、5.8GHzであることを特徴とする請求項１から４の何れかに記載のディスプレイ装置。
【請求項６】
前記ディスプレイユニットは液晶ディスプレイか有機発光ダイオードであることを特徴とする請求項１から５の何れかに記載のディスプレイ装置。
【請求項７】
前記ディスプレイユニットは双安定ディスプレイであることを特徴とする請求項１から６の何れかに記載のディスプレイ装置。
【請求項８】
前記ディスプレイユニットはコレステリックLCD、強誘電体LCD、電気泳動ディスプレイ、MEMs切替可能反射ディスプレイ、又は、エレクトロクロミック薄膜ディスプレイであることを特徴とする請求項１から７の何れかに記載のディスプレイ装置。
【請求項９】
前記電源供給ユニットは電池モジュール、および外部電源の少なくとも１つであることを特徴とする請求項１から８の何れかに記載のディスプレイ装置。
【請求項１０】
前記電池モジュールは一次電池、および二次電池の少なくとも１つであることを特徴とする請求項９に記載のディスプレイ装置。
【請求項１１】
表示システムであって、
RFIDシステムの無線通信規格に従って、無線信号を発射、および/または、受信する読み取り/書き込み装置と、
請求項１から１０の何れかに記載の前記ディスプレイ装置と、
を備えることを特徴とする表示システム。
【発明の詳細な説明】
【技術分野】
【０００１】
本発明は、ディスプレイ装置、および、表示システムに関するものであって、特に、ワイヤレス通信モジュールを有し、節電できるディスプレイ装置、および、表示システムに関するものである。
【背景技術】
【０００２】
薄型化したフラットパネルディスプレイは体積が小さいので、展示空間に幅広く応用されて、有用な情報を提供することができる。情報を提供するディスプレイは多くが、各特定の地点に分散して設置されるので、有線の連接方式を利用して、ディスプレイの表示情報を更新するのは現実的ではない。それに比べて、無線通信の連接方式を利用してディスプレイの表示情報を更新するのが一般に使用者に受け入れられる解決方案である。
【０００３】
無線通信技術は以下の種類があり、赤外線(Infrared，IR)伝送、無線領域ネットワーク、ブルートゥース、ジグビー（Zigbee）、RFID(Radio Frequency Identification，RFID) システム等である。しかし、赤外線(Infrared，IR)伝送の方向性は悪く、遮蔽を受けて通信品質に影響しやすく、且つ、単一方向の通信しかできない。無線領域ネットワーク、ブルートゥース、ジグビー等の無線通信方式はどれも電力消耗が大きく、コストが高い。RFIDシステムは双方向の通信であるが、情報をタグ(Tag)に搭載された電気的消去可能ROM(Electrically Erasable Programmable Read-Only Memory，EEPROM)に書き込む時、よい通信品質で、安定、且つ、充分な電源を必要とするので、通信距離は僅か１メートルであり、応用できない。この他、タグ搭載のEEPROMの書き込み回数は約１０万回で、表示情報の頻繁な更新にとって不足である。
【０００４】
よって、無線通信技術とディスプレイをいかにして整合し、情報表示が無線方式で更新でき、且つ、節電を達成することが重要な課題である。
【発明の概要】
【発明が解決しようとする課題】
【０００５】
上述の問題を解決するため、本発明は、ディスプレイ装置、および、表示システムを提供し、RFIDシステム中のタグを無線通信モジュールとし、電源供給ユニットにより情報更新時に必要な電源を提供するので、比較的長い通信距離で情報を更新し、且つ、その他の無線通信技術よりも節電することを目的とする。
【課題を解決するための手段】
【０００６】
上述の目的を達成するため、本発明の実施例によるディスプレイ装置は、RFIDタグユニット、ディスプレイユニット、処理ユニット、および、電源供給ユニット、からなる。RFIDタグユニットは、RFIDシステムの無線通信規格に従って、無線信号を受信し、識別情報を出力する。ディスプレイユニットは識別情報を表示する。処理ユニットはRFIDタグユニット、および、ディスプレイユニットと電気的に接続し、識別情報を受信すると共に、ディスプレイユニットに出力して表示する。電源供給ユニットは、処理ユニット、および、ディスプレイユニット操作時に必要な電源を供給する。
【０００７】
上述の目的を達成するため、本発明のもう一つの実施例による表示システムは、読み取り/書き込み装置、および、ディスプレイ装置からなる。読み取り/書き込み装置は、RFIDシステムの無線通信規格に従って、無線信号を発射、および/または、受信する。ディスプレイ装置は、RFIDタグユニット、ディスプレイユニット、処理ユニット、および、電源供給ユニット、からなる。RFIDタグユニットは、RFIDシステムの無線通信規格に従って、無線信号を受信し、識別情報を出力する。ディスプレイユニットは識別情報を表示する。処理ユニットはRFIDタグユニット、および、ディスプレイユニットと電気的に接続し、識別情報を受信すると共に、ディスプレイユニットに出力して表示する。電源供給ユニットは、処理ユニット、および、ディスプレイユニット操作時に必要な電源を供給する。
【発明の効果】
【０００８】
本発明のディスプレイ装置、および、表示システムは、RFIDシステム中のタグを無線通信モジュールとし、電源供給ユニットにより情報更新時に必要な電源を提供するので、比較的長い通信距離で情報を更新し、且つ、その他の無線通信技術よりも節電することができる。
【図面の簡単な説明】
【０００９】
【図１】本発明の実施例によるディスプレイ装置、および、その表示システムを示す図である。
【図２】本発明のもう一つの実施例によるディスプレイ装置を示す図である。
【発明を実施するための形態】
【実施例１】
【００１０】
図１を参照すると、本発明の実施例による表示システムは、ディスプレイ装置１、および、読み取り/書き込み装置２、からなる。読み取り/書き込み装置２は、RFIDシステムの無線通信規格に従って、無線信号WSを発射し、識別情報IIDを含んでいる。ディスプレイ装置１は、RFIDタグユニット１１、処理ユニット１２、ディスプレイユニット１３、および、電源供給ユニット１４、を有する。RFIDタグユニット１１は、RFIDシステムの無線通信規格に従って、読み取り/書き込み装置２が伝送する無線信号WSを受信し、識別情報IIDを出力する。実施例中、RFIDシステムの通信周波数は135KHz以下、13.56MHz、860M〜960MHz(UHF バンド)、2.45GHz、或いは、5.8GHzである。
【００１１】
ディスプレイユニット１３は識別情報IIDを表示する。処理ユニット１２はRFIDタグユニット１１、および、ディスプレイユニット１３と電気的に接続し、識別情報IIDを受信すると共に、ディスプレイユニット１３に出力して表示する。電源供給ユニット１４は、処理ユニット１２、および、ディスプレイユニット１３操作時に必要な電源を供給する。一実施例中、電源供給ユニット１４は電池モジュール、および/又は、外接電源である。例えば、電池モジュールは充電池か一次電池である。RFIDシステムの標準によると、RFIDタグユニット１１は、無線信号WSから高周波電源VRFを捕捉してRFIDタグユニット１１操作時に必要な電源とする。これにより、本発明のディスプレイ装置１は待機状態時に、RFIDタグユニット１１が余分な電源を消耗しない。
【実施例２】
【００１２】
図２を参照すると、本発明のもう一つの実施例によるディスプレイ装置１'は、ストレージユニット１５を有する、ストレージユニット１５は処理ユニット１２と電気的に接続し、識別情報IIDを保存する。例えば、ストレージユニット１５はメモリかハードディスクである。処理ユニットはストレージユニット１５から識別情報IIDを読み取ると共に、RFIDフォーマットの無線信号WSに処理する。無線信号WSはRFIDタグユニット１１を経由して読み取り/書き込み装置２（図１で示される）に伝送され、読み取り/書き込み装置２、および、ディスプレイ装置１'間の双方向通信を可能にし、即ち、読み取り/書き込み装置２は識別情報IIDをディスプレイ装置１'に書き込むことが出来、ディスプレイ装置１'から識別情報IIDを読み取ることができる。
上述の構造によると、RFIDタグユニット１１は、搭載されたEEPROMを除去することができる。RFIDタグユニット１１は無線信号WSにより得られた識別信号IIDを、直接、処理ユニット１２に出力し、RFIDタグユニット１１に搭載されたEEPROMに書き込まない。ディスプレイ装置がストレージユニット（例えば、メモリ、或いは、ハードディスク）にアクセスするのに必要な電源は皆、電源供給ユニット１４により提供されるので、読み取り/書き込み装置２は比較的長い通信距離で識別情報IIDをディスプレイ装置１に書き込むことができる。
【００１３】
一実施例中、ディスプレイユニット１３は双安定ディスプレイ(Bi-Stable Display)である。例えば、ディスプレイユニット１３はコレステリックLCD(Cholesteric LCD)、強誘電体LCD(Ferroelectric LCD)、電気泳動ディスプレイ(Electrophoretic Display，EPD)、MEMs切替可能反射 (MEMs switchable reflector)ディスプレイ、或いは、エレクトロクロミック薄膜(Electrochromic films)ディスプレイである。双安定ディスプレイは表示情報の更新時のみ電力を消耗するので、本発明のディスプレイ装置１は待機時、僅かな電力しか消耗しないか、全く電力を消耗しないので、更なる節電目的を達成することができる。注意すべきことは、ディスプレイユニット１３は双安定ディスプレイに制限されないことである。例えば、ディスプレイ装置が外接電源か太陽エネルギーにより自発発電する時、ディスプレイユニット１３は公知の液晶ディスプレイか有機発光ダイオード(Organic Light Emitting Diodes，OLED)等のエネルギーを消耗するディスプレイでもよい。
【００１４】
この他、ディスプレイユニット１３は需要に応じて任意の尺寸に設計できる。例えば、小型のディスプレイユニット１３を具備するディスプレイ装置１は電子ラベル（Label）となって、商品の価格、製造日時、産地等の商品の相関情報を表示することができる。大きい尺寸のディスプレイユニット１３を具備するディスプレイ装置１はデジタルフレームにすることができる。大型のディスプレイユニット１３を具備するディスプレイ装置１は電光掲示板にすることができる。
【００１５】
総合すると、本発明のディスプレイ装置、および、表示システムは、RFIDシステム中のタグを無線通信モジュールとし、電源供給ユニットにより情報更新時に必要な電源を提供する。よって、本発明のディスプレイ装置、および、表示システムは長い通信距離で情報を更新することができ、且つ、その他の無線通信技術と比べると節電できる。この他、節電である双安定ディスプレイをディスプレイユニットとすると、更に、節電効果が高まる。また、本発明のディスプレイ装置、および、表示システムはメモリかハードディスク等の書き込み回数が多いストレージユニットによりRFIDタグユニットに搭載されたEEPROMを代替するので、EEPROMの１０万回の書き込み回数に制限されない。
【００１６】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００１７】
1、1'  ディスプレイ装置
11  RFIDタグユニット
12  処理ユニット
13  ディスプレイユニット
14  電源供給ユニット
15  ストレージユニット
2  読み取り/書き込み装置
IID  識別情報
VRF  高周波電源
WS  無線信号
【図１】
2010181851.tif 000003
【図２】
2010181851.tif 000004